(57)【要約】【課題】被削材の加工面を高品位に仕上げることが可能なエンドミルを提供すること。【解決手段】軸状をなすエンドミル本体２と、エンドミル本体２の軸線Ｏ方向に沿う先端から基端側へ向かうに従い漸次工具回転方向Ｔの後方へ向けて延び、周方向に互いに間隔をあけて形成された複数の切屑排出溝４と、複数の切屑排出溝４における工具回転方向Ｔの前方を向く各壁面とエンドミル本体２の外周面との交差稜線部にそれぞれ形成された複数の外周刃６と、エンドミル本体２の先端面に配置され、複数の外周刃６の先端にそれぞれ連なるとともに、該先端から径方向の内側へ向かうように延びる複数の底刃と、を備え、エンドミル本体２の外周刃６が形成された軸線Ｏ方向に沿う全域にわたって、複数の外周刃６のうち、１つの外周刃６Ａにおける回転軌跡Ｃ１の直径Ｄ１が、１つの外周刃６Ａ以外の外周刃６Ｂにおける回転軌跡Ｃ２の直径Ｄ２よりも大きいことを特徴とする。【選択図】図２
2015188979.tif 000002
【特許請求の範囲】
【請求項１】
軸状をなすエンドミル本体と、
前記エンドミル本体の外周のうち少なくとも先端部に配置され、該エンドミル本体の軸線方向に沿う先端から基端側へ向かうに従い漸次前記軸線回りに沿う周方向のうち工具回転方向の後方へ向けて延びるとともに、前記周方向に互いに間隔をあけて形成された複数の切屑排出溝と、
前記複数の切屑排出溝における前記工具回転方向の前方を向く各壁面と、前記エンドミル本体の外周面との交差稜線部にそれぞれ形成された複数の外周刃と、
前記エンドミル本体の先端面に配置され、前記複数の外周刃の先端にそれぞれ連なるとともに、該先端から前記軸線に直交する径方向の内側へ向かうように延びる複数の底刃と、を備え、
前記エンドミル本体の前記外周刃が形成された前記軸線方向に沿う全域にわたって、前記複数の外周刃のうち、１つの外周刃における前記軸線を中心とする回転軌跡の直径が、前記１つの外周刃以外の外周刃における前記回転軌跡の直径よりも大きいことを特徴とするエンドミル。
【請求項２】
請求項１に記載のエンドミルであって、
前記複数の外周刃のうち、前記１つの外周刃が、該１つの外周刃以外の外周刃よりも前記径方向の外側へ向けて突出する突出量が、５〜３０μｍであることを特徴とするエンドミル。
【請求項３】
請求項１又は２に記載のエンドミルであって、
前記エンドミル本体の外周面のうち、前記１つの外周刃の前記工具回転方向の後方に連なる部位に、該１つの外周刃の前記軸線を中心とする回転軌跡上に位置するマージンが形成されていることを特徴とするエンドミル。
【請求項４】
請求項１又は２に記載のエンドミルであって、
前記エンドミル本体の外周面のうち、前記１つの外周刃の前記工具回転方向の後方に連なる部位に、該１つの外周刃から前記工具回転方向の後方に向かうに従い漸次前記径方向の内側へ向けて傾斜する外周逃げ面が形成され、
前記軸線に垂直な断面視で、
前記１つの外周刃の前記軸線を中心とする回転軌跡の円周に接するとともに該１つの外周刃を通る接線と、
前記外周逃げ面の前記工具回転方向の後端と前記１つの外周刃とを結ぶ仮想直線と、の間に挟まれる角度が５°以下であることを特徴とするエンドミル。
【請求項５】
請求項３に記載のエンドミルであって、
前記マージンの前記周方向に沿う幅が、０．０２〜０．２ｍｍであることを特徴とするエンドミル。
【請求項６】
請求項４に記載のエンドミルであって、
前記外周逃げ面には、前記１つの外周刃に達するとともに該外周刃から離間する向きに延び、互いに平行とされた複数の研削条が形成され、
前記複数の研削条は、前記工具回転方向に対して４５°以上の角度で傾斜していることを特徴とするエンドミル。
【発明の詳細な説明】
【技術分野】
【０００１】
本発明は、エンドミルに関するものである。
【背景技術】
【０００２】
従来、この種のエンドミルとして、例えば下記特許文献１に示されるような、軸線回りに回転させられるエンドミル本体の先端部外周に、エンドミル本体の先端から基端側に向けて延びる複数条の切屑排出溝が形成され、これらの切屑排出溝の工具回転方向を向く壁面の外周側辺稜部にそれぞれ外周刃が形成されるとともに、エンドミル本体の先端面にはこれらの外周刃の先端から内周側に延びる底刃が形成されたものが知られている。
エンドミルは、工具回転方向に回転させられつつ、軸線に交差する方向に送りを与えられて、被削材に切削加工を施していく。
【先行技術文献】
【特許文献】
【０００３】
【特許文献１】特開２０１３−２０２７４８号公報
【発明の概要】
【発明が解決しようとする課題】
【０００４】
しかしながら、従来のエンドミルにおいては、下記の課題を有していた。
すなわち、エンドミルを用いて被削材に側面加工や深溝加工等を行う場合に、被削材の加工面に、該エンドミルの軸線方向に間隔をあけ工具送り方向に延びるスジ状の切削痕が残ることがあった。そして、この切削痕自体や、該切削痕を挟む上下の加工面部分の反射の違い（金属光沢の角度による明暗の見え方の違い）が視認されることで、加工面の品位が損なわれていた。
【０００５】
本発明は、このような事情に鑑みてなされたものであって、被削材の加工面を高品位に仕上げることが可能なエンドミルを提供することを目的としている。
【課題を解決するための手段】
【０００６】
このような課題を解決して、前記目的を達成するために、本発明は以下の手段を提案している。
すなわち、本発明のエンドミルは、軸状をなすエンドミル本体と、前記エンドミル本体の外周のうち少なくとも先端部に配置され、該エンドミル本体の軸線方向に沿う先端から基端側へ向かうに従い漸次前記軸線回りに沿う周方向のうち工具回転方向の後方へ向けて延びるとともに、前記周方向に互いに間隔をあけて形成された複数の切屑排出溝と、前記複数の切屑排出溝における前記工具回転方向の前方を向く各壁面と、前記エンドミル本体の外周面との交差稜線部にそれぞれ形成された複数の外周刃と、前記エンドミル本体の先端面に配置され、前記複数の外周刃の先端にそれぞれ連なるとともに、該先端から前記軸線に直交する径方向の内側へ向かうように延びる複数の底刃と、を備え、前記エンドミル本体の前記外周刃が形成された前記軸線方向に沿う全域にわたって、前記複数の外周刃のうち、１つの外周刃における前記軸線を中心とする回転軌跡の直径が、前記１つの外周刃以外の外周刃における前記回転軌跡の直径よりも大きいことを特徴とする。
【０００７】
上記目的を達成するために、本発明の発明者は鋭意研究を重ねた結果、下記の知見を得るに至った。
すなわち、エンドミルを用いて被削材に側面加工や深溝加工等を行う場合、被削材の加工面は、複数の外周刃によって仕上げ加工されている。具体的には、エンドミルを工作機械の主軸等に装着したときに生じる振れ精度の影響などにより、被削材の加工面が、そのエンドミルの軸線方向に沿う各部分において、異なる外周刃により仕上げ加工されている。そのため、異なる外周刃が仕上げた加工面の部分同士の間に、工具送り方向に延びるスジ状の切削痕が形成され、この切削痕自体や、該切削痕を挟む上下の加工面部分の反射の違いが視認されることで、加工面の品位が損なわれていた。
【０００８】
本発明は、このような知見に基づいてなされたものであり、エンドミル本体の外周刃が形成された軸線方向に沿う全域にわたって、複数の外周刃のうち、１つの外周刃における軸線を中心とする回転軌跡の直径が、前記１つの外周刃以外の外周刃（以下、他の外周刃という）における回転軌跡の直径よりも大きいので、被削材の加工面が、前記１つの外周刃のみで仕上げられるようになっている。
すなわち、複数の外周刃のうち、１つの外周刃が軸線から径方向の外側に向けて突出する突出量が、他の外周刃の前記突出量よりも大きいことから、被削材の加工面は、所定の前記１つの外周刃によって仕上げ加工されることになる。
【０００９】
これにより、被削材の加工面にスジ状の切削痕が形成されることや、該切削痕を挟む上下の加工面部分に反射の違い（金属光沢の明暗の見え方の違い）が生じることを確実に防止できる。
よって本発明によれば、被削材の加工面を高品位に仕上げることが可能である。
尚、本発明による上述の作用効果は、仕上げ加工用の外周刃が２つ以上設けられていては得ることができず（これら外周刃同士の間で加工面に切削痕が生じるため）、１つの外周刃のみによって仕上げ加工されることにより効果を奏する。
【００１０】
また、本発明のエンドミルにおいて、前記複数の外周刃のうち、前記１つの外周刃が、該１つの外周刃以外の外周刃よりも前記径方向の外側へ向けて突出する突出量が、５〜３０μｍであることとしてもよい。
【００１１】
上記構成のように、複数の外周刃のうち、前記１つの外周刃の、他の外周刃に対する径方向外側へ向けた突出量が、５〜３０μｍの範囲内に設定されることにより、上述した作用効果が格別顕著に得られることになる。
【００１２】
具体的に、前記突出量が５μｍ未満の場合には、エンドミルを工作機械の主軸等に装着したときに生じる振れ精度の影響などにより、他の外周刃が前記１つの外周刃より径方向の外側に部分的に突出するなどして、上述した効果が十分に得られないおそれがある。
また、前記突出量が３０μｍを超える場合には、仕上げ加工用の前記１つの外周刃に対する切削負荷の割合が大きくなり過ぎて、該１つの外周刃が早期に損傷（摩耗や欠損）するおそれがある。
【００１３】
また、本発明のエンドミルにおいて、前記エンドミル本体の外周面のうち、前記１つの外周刃の前記工具回転方向の後方に連なる部位に、該１つの外周刃の前記軸線を中心とする回転軌跡上に位置するマージンが形成されていることとしてもよい。
また、本発明のエンドミルにおいて、前記エンドミル本体の外周面のうち、前記１つの外周刃の前記工具回転方向の後方に連なる部位に、該１つの外周刃から前記工具回転方向の後方に向かうに従い漸次前記径方向の内側へ向けて傾斜する外周逃げ面が形成され、前記軸線に垂直な断面視で、前記１つの外周刃の前記軸線を中心とする回転軌跡の円周に接するとともに該１つの外周刃を通る接線と、前記外周逃げ面の前記工具回転方向の後端と前記１つの外周刃とを結ぶ仮想直線と、の間に挟まれる角度が５°以下であることとしてもよい。
【００１４】
この場合、仕上げ加工用の前記１つの外周刃の工具回転方向の後方に、マージン又は極小さな逃げ角（５°以下）を有する外周逃げ面が形成されるので、被削材の加工面はバニッシュ効果により、さらに高品位に仕上げられることになる。
尚、上述の外周逃げ面が形成される場合の「逃げ角」とは、前記１つの外周刃を通る前記接線と、外周逃げ面における工具回転方向の後端と該１つの外周刃とを結ぶ仮想直線と、の間に形成される角度（挟角）であるから、軸線に垂直な断面視で、外周逃げ面が直線状をなす場合（平面状の外周逃げ面、いわゆる直線二番）及び凸曲線状をなす場合（凸曲面状の外周逃げ面、いわゆる偏心二番）を含んでいる。
【００１５】
また、本発明のエンドミルにおいて、前記マージンの前記周方向に沿う幅が、０．０２〜０．２ｍｍであることとしてもよい。
【００１６】
この場合、上述のバニッシュ効果が安定して得られるとともに、加工精度が良好に維持される。
具体的に、マージンの周方向に沿う幅が０．０２ｍｍ未満であると、切削初期摩耗によって、効果が早期に失われるおそれがある。また、マージンの周方向に沿う幅が０．２ｍｍを超えると、切削抵抗が大きくなり、加工寸法不良や加工面変形のおそれがある。
【００１７】
また、本発明のエンドミルにおいて、前記外周逃げ面には、前記１つの外周刃に達するとともに該外周刃から離間する向きに延び、互いに平行とされた複数の研削条が形成され、前記複数の研削条は、前記工具回転方向に対して４５°以上の角度で傾斜していることとしてもよい。
【００１８】
前記１つの外周刃の刃先を微視的に見ると、該１つの外周刃にはその刃長方向に沿って複数の研削条（エンドミル製造時に外周逃げ面を砥石で研削加工した際に形成された研削スジ）による凹凸形状が形成されている。本発明の上記構成によれば、これら研削条が工具回転方向に対して４５°以上の角度で大きく傾斜させられていることから、刃先の上記凹凸形状が、被削材の加工面に転写されにくくなっている。
【００１９】
具体的に、１つの外周刃近傍では、研削条の稜線、及び該稜線に隣接する研削条の側壁が、被削材の加工面に工具回転方向の後方から対向する（加工面に対して露出される）とともに、接触可能であるので、これら研削条の稜線及び側壁が加工面を擦りつつ平坦化して、仕上げることができる。
【００２０】
尚、上記構成とは異なり、例えば複数の研削条が、工具回転方向に対して４５°未満の角度で傾斜したり、工具回転方向に沿って（平行に）延びていてもよいが、この場合、これら研削条の凹凸形状が、被削材の加工面にそのまま転写されやすくなり凹凸差（表面粗さ）が大きくなるため、上述した効果が得られにくくなるおそれがある。
【発明の効果】
【００２１】
本発明のエンドミルによれば、被削材の加工面を高品位に仕上げることができる。
【図面の簡単な説明】
【００２２】
【図１】本発明の一実施形態に係るエンドミルを示す側面図である。
【図２】図１のＡ−Ａ断面を示す図である。
【図３】図２のＢ部を拡大して示す図である。
【図４】１つの外周刃に連なる逃げ面に形成された複数の研削条を示す図であり、該外周刃の微視的な断面形状（凹凸形状）を表している。
【図５】１つの外周刃に連なる逃げ面に形成された複数の研削条を示す図であり、該外周刃の微視的な断面形状（凹凸形状）を表している。
【図６】エンドミルで切削加工した被削材の加工面を拡大して示す縦断面図であり、（ａ）本発明の実施例、（ｂ）従来の比較例を示している。
【発明を実施するための形態】
【００２３】
以下、本発明の一実施形態に係るエンドミル１について、図面を参照して説明する。
図１及び図２に示されるように、本実施形態のエンドミル１は、軸状をなすエンドミル本体２を有している。具体的に、このエンドミル本体２は概略円柱状をなしており、該エンドミル本体２の軸線Ｏ方向に沿う少なくとも先端部に刃部３ａが形成され、該刃部３ａ以外の部位がシャンク部３ｂとされている。
【００２４】
エンドミル１は、エンドミル本体２において円柱状をなすシャンク部３ｂが工作機械の主軸等に把持され、軸線Ｏ回りの工具回転方向Ｔに回転させられることで、金属材料等からなる被削材の切削加工（転削加工）に使用される。また上記回転とともに、軸線Ｏに交差する方向に送りを与えられて、刃部３ａにより被削材に対して側面加工や深溝加工、正面削り加工等を行う。
【００２５】
ここで、本明細書では、エンドミル本体２の軸線Ｏ方向のうち、刃部３ａ側へ向かう方向（図１における下方）を先端側、刃部３ａとは反対側へ向かう方向（シャンク部３ｂ側へ向かう方向、図１における上方）を基端側という。また、軸線Ｏに直交する方向を径方向といい、軸線Ｏ回りに周回する方向を周方向という。尚、前記周方向のうち、切削加工時にエンドミル本体２が回転させられる方向を工具回転方向Ｔ（又は工具回転方向Ｔの前方）といい、工具回転方向Ｔとは反対側へ向かう方向を工具回転方向Ｔの後方という。
【００２６】
刃部３ａの外周には、複数条の切屑排出溝４が周方向に間隔をあけて形成されている。これら切屑排出溝４は、エンドミル本体２の外周のうち少なくとも先端部に配置されており、具体的には刃部３ａの形成領域に対応している。
切屑排出溝４は、エンドミル本体２の先端面に開口しており、該先端面から基端側へ向かうに従い漸次工具回転方向Ｔの後方へ向けて捩れて延びている。本実施形態のエンドミル１では、４条の切屑排出溝４が互いに周方向に間隔（等間隔又は不等間隔）をあけて形成されている。
【００２７】
複数の切屑排出溝４における工具回転方向Ｔの前方を向く各壁面と、エンドミル本体２の外周面との交差稜線部には、外周刃６がそれぞれ形成されている。切屑排出溝４の前記壁面は、外周刃６のすくい面となっている。
【００２８】
具体的に、外周刃６は、切屑排出溝４の壁面（溝の内面）のうち、工具回転方向Ｔの後方端部に位置するとともに工具回転方向Ｔの前方を向く壁面部分と、刃部３ａにおいて径方向外側を向く外周逃げ面５と、の交差稜線部に形成されている。
【００２９】
刃部３ａには、４枚の外周刃６が互いに周方向に間隔をあけて形成されている。これら外周刃６は、各外周刃６の工具回転方向Ｔの前方に隣接する各切屑排出溝４と等しいリードで、エンドミル本体２の基端側へ向かうに従い漸次工具回転方向Ｔの後方に向けて捩れて延びている。外周刃６が軸線Ｏ回りに回転して形成される回転軌跡は、軸線Ｏを中心とする略円筒面となる。
【００３０】
刃部３ａの外周面には、４つの切屑排出溝４同士の間に、４つの外周逃げ面５が形成されている。外周逃げ面５は、外周刃６から工具回転方向Ｔの後方に向かうに従い漸次径方向の内側へ向けて傾斜している。外周逃げ面５の幅は、外周刃６の延在方向に沿って略一定とされている。
【００３１】
切屑排出溝４の先端部には、該切屑排出溝４の壁面を径方向の内側へ向けて切り欠くようにして、溝状（凹状）のギャッシュ７が形成されている。ギャッシュ７は、切屑排出溝４の先端部において径方向に沿うように延びており、その径方向内側の端部は、軸線Ｏ近傍に配置されている。
【００３２】
ギャッシュ７において工具回転方向Ｔの前方を向く壁面の先端側辺陵部（この壁面の先端縁に沿って径方向に延びる稜線部）には、底刃（先端刃）９がそれぞれ形成されている。ギャッシュ７の前記壁面は、底刃９のすくい面となっている。
【００３３】
具体的に、底刃９は、ギャッシュ７の壁面（溝の内面）のうち、工具回転方向Ｔの後方端部に位置するとともに工具回転方向Ｔの前方を向く壁面部分と、刃部３ａにおいて先端側を向く先端逃げ面８と、の交差稜線部に形成されている。
【００３４】
複数の底刃９は、エンドミル本体２の先端面に配置され、複数の外周刃６の先端にそれぞれ連なるとともに、該先端から径方向の内側へ向かうように延びている。これら連続する外周刃６及び底刃９の組は、長辺が捩れたＬ字状をなすように、一連の切れ刃を形成している。尚、一連の切れ刃における外周刃６と底刃９との間に、凸曲線状のコーナ刃が形成されていてもよい。
【００３５】
また、底刃９が軸線Ｏ回りに回転して形成される回転軌跡は、軸線Ｏに直交する１つの平面上、又は径方向内側に向かうに従い漸次軸線Ｏ方向の基端側へ向けて極僅かに窪む１つの凹円錐面上に位置している。
【００３６】
刃部３ａの先端面には、４つの切屑排出溝４の先端部（ギャッシュ７）同士の間に、４つの先端逃げ面８が形成されている。先端逃げ面８は、底刃９から工具回転方向Ｔの後方に向かうに従い漸次軸線Ｏ方向の基端側へ向けて傾斜している。
【００３７】
また特に図示していないが、エンドミル本体２の内部には、クーラント（油性や水溶性の切削剤）の流路となるクーラント穴が形成されていてもよい。クーラント穴は、エンドミル本体２の基端面に開口するとともに先端側へ向けて延び、幹路から複数の枝路に分岐して、刃部３ａの切屑排出溝４や先端面に開口する。
このように構成された本実施形態のエンドミル１は、４枚切れ刃の刃部３ａを有するスクエアエンドミルである。尚、刃部３ａの切れ刃の数（一繋がりの切れ刃を構成する底刃９及び外周刃６の組数）は、本実施形態で説明した４枚刃に限定されない。
【００３８】
そして、図２に示されるように本実施形態のエンドミル１は、エンドミル本体２の外周刃６が形成された軸線Ｏ方向に沿う全域にわたって（つまり刃部３ａの全域にわたって）、複数の外周刃６のうち、１つの外周刃６Ａにおける軸線Ｏを中心とする回転軌跡Ｃ１の直径Ｄ１が、前記１つの外周刃６Ａ以外の外周刃６Ｂ（以下、他の外周刃６Ｂという場合がある）における回転軌跡Ｃ２の直径Ｄ２よりも大きくなっている。
【００３９】
具体的に本実施形態では、エンドミル本体２の刃部３ａに４つの外周刃６が設けられており、これら外周刃６のうち、１つの外周刃６Ａにおける径方向位置が、該外周刃６Ａ以外の他の（３つの）外周刃６Ｂにおける径方向位置に対して、径方向外側に配置されている。言い換えると、１つの外周刃６Ａの径方向に沿う軸線Ｏからの距離（半径）が、他の外周刃６Ｂの径方向に沿う軸線Ｏからの距離（半径）に対して、大きくされている。
尚、他の外周刃６Ｂ同士の径方向位置（径方向に沿う軸線Ｏから各外周刃６Ｂまでの距離、つまり半径）は、互いに同一とされている。
【００４０】
また、複数の外周刃６のうち、１つの外周刃６Ａが、他の外周刃６Ｂよりも径方向の外側へ向けて突出する突出量Ｐは、５〜３０μｍの範囲内に設定されている。
【００４１】
また図３において、エンドミル本体２の外周面のうち、１つの外周刃６Ａの工具回転方向Ｔの後方に連なる部位に配置された外周逃げ面５Ａは、該１つの外周刃６Ａから工具回転方向Ｔの後方に向かうに従い漸次径方向の内側へ向けて傾斜しており、この点において、外周逃げ面５Ａは他の外周刃６Ｂの工具回転方向Ｔの後方に連なる外周逃げ面５Ｂと同様の構成を有しているが、下記の点において、特別な構成（異なる構成）を有している。
【００４２】
すなわち、図３に示される軸線Ｏに垂直な断面視で、１つの外周刃６Ａの回転軌跡Ｃ１の円周に接するとともに該１つの外周刃６Ａを通る接線Ｌと、外周逃げ面５Ａの工具回転方向Ｔの後端と前記１つの外周刃６Ａとを結ぶ仮想直線（図３における符号「５Ａ（５）」が指す直線部分に相当）と、の間に挟まれる角度（つまり逃げ角）θが、５°以下の小さな角度に設定されている。具体的に、１つの外周刃６Ａの外周逃げ面５Ａにおける逃げ角（角度θ）は、他の外周刃６Ｂの外周逃げ面５Ｂにおける逃げ角よりも、小さく設定されている。
尚、本明細書でいう上記「角度（逃げ角）θ」とは、前記１つの外周刃６Ａを通る前記接線Ｌと、外周逃げ面５Ａにおける工具回転方向Ｔの後端と該１つの外周刃６Ａとを結ぶ仮想直線と、の間に形成される角度（挟角）θであるから、図３に示される軸線Ｏに垂直な断面視で、外周逃げ面５Ａが直線状をなす場合（平面状の外周逃げ面５Ａ、いわゆる直線二番）、及び外周逃げ面５Ａが凸曲線状をなす場合（凸曲面状の外周逃げ面５Ａ、いわゆる偏心二番）を含む。
本実施形態の例では図示されるように、外周逃げ面５Ａは直線二番となっている。
【００４３】
より詳しくは、図３において外周逃げ面５Ａは、１つの外周刃６Ａから工具回転方向Ｔの後方に向かって、逃げ角が段階的に（順次）大きくなる第１〜第３逃げ面部を有しており、上記角度θは、外周逃げ面５Ａにおいて外周刃６Ａに隣接配置された第１逃げ面部と、接線Ｌとの間に形成される逃げ角を指している。尚、図示の例では、外周逃げ面５Ａの第１〜第３逃げ面部のうち、第１、第２逃げ面部が、径方向に沿う回転軌跡Ｃ１、Ｃ２同士の間に配置され、第３逃げ面部が、回転軌跡Ｃ２上に位置して該回転軌跡Ｃ２に交差している。
【００４４】
尚、特に図示していないが、外周逃げ面５Ａには、上記第１逃げ面部の代わりに、１つの外周刃６Ａの回転軌跡Ｃ１上に位置する（つまり回転軌跡Ｃ１に部分的に一致する）マージンが形成されていてもよい。すなわち、マージンは、図３に示される外周逃げ面５Ａのうち、外周刃６Ａの工具回転方向Ｔの後方に隣接する上記第１逃げ面部の相当位置に配置されて、軸線Ｏを中心とする円筒面の一部をなすように形成される。
また、外周逃げ面５Ａにマージンが形成される場合には、該マージンの周方向に沿う幅が、０．０２〜０．２ｍｍの範囲内に設定されることが好ましい。
【００４５】
また、図２において外周逃げ面５Ｂは、他の外周刃６Ｂから工具回転方向Ｔの後方に向かって、逃げ角が段階的に（順次）大きくなる第１、第２逃げ面部を有しており、外周逃げ面５Ｂにおいて外周刃６Ｂに隣接配置された第１逃げ面部の逃げ角が、外周逃げ面５Ａの上記角度θよりも大きくなっている。
【００４６】
図４に示されるように、１つの外周刃６Ａに連なる外周逃げ面５Ａには、該１つの外周刃６Ａに達するとともに該外周刃６Ａから離間する向きに延び、互いに平行とされた複数の研削条１０が形成されている。これら研削条１０は、エンドミル１の製造時に外周逃げ面５Ａを砥石で研削加工した際に形成された研削スジである。複数の研削条１０は、工具回転方向Ｔに対して４５°以上の角度（傾斜角）αで傾斜して延びている。
【００４７】
またこれら研削条１０が、工具回転方向Ｔに対して傾斜して延びていることで、工具回転方向Ｔに垂直な断面視（図４のＥ−Ｅ断面、Ｆ−Ｆ断面を参照）において、各研削条１０の稜線もやはり、工具回転方向Ｔに交差する向きに、該工具回転方向Ｔに対して角度αで傾斜して延びることになる。そして、研削条１０の稜線、及び該稜線に隣接する研削条１０の側壁は、被削材の加工面に工具回転方向Ｔの後方から対向するとともに、接触可能である。従って、外周刃６Ａ近傍では、これら研削条１０の稜線及び側壁が切削に関与して、加工面を仕上げるようになっている。
【００４８】
以上説明した本実施形態のエンドミル１によれば、エンドミル本体２の外周刃６が形成された軸線Ｏ方向に沿う全域（刃部３ａ全域）にわたって、複数の外周刃６のうち、１つの外周刃６Ａにおける回転軌跡Ｃ１の直径Ｄ１が、他の外周刃６Ｂにおける回転軌跡Ｃ２の直径Ｄ２よりも大きいので、被削材の加工面が、前記１つの外周刃６Ａのみで仕上げられるようになっている。
すなわち、複数の外周刃６のうち、１つの外周刃６Ａが軸線Ｏから径方向の外側に向けて突出する突出量が、他の外周刃６Ｂの前記突出量よりも大きいことから、被削材の加工面は、所定の前記１つの外周刃６Ａによって仕上げ加工されることになる。
【００４９】
これにより、被削材の加工面にスジ状の切削痕が形成されることや、該切削痕を挟む上下（軸線Ｏ方向に沿う上下）の加工面部分に反射の違い（金属光沢の明暗の見え方の違い）が生じることを確実に防止できる。
よって本実施形態によれば、被削材の加工面を高品位に仕上げることが可能である。
尚、本実施形態による上述の作用効果は、仕上げ加工用の外周刃６Ａが２つ以上設けられていては得ることができず（これら外周刃６Ａ同士の間で加工面に切削痕が生じるため）、１つの外周刃６Ａのみによって仕上げ加工されることにより効果を奏する。
【００５０】
また本実施形態では、複数の外周刃６のうち、１つの外周刃６Ａが、他の外周刃６Ｂよりも径方向の外側へ向けて突出する突出量Ｐが、５〜３０μｍであるので、上述した作用効果が格別顕著に得られることになる。
具体的に、前記突出量Ｐが５μｍ未満の場合には、エンドミル１を工作機械の主軸等に装着したときに生じる振れ精度の影響などにより、他の外周刃６Ｂが前記１つの外周刃６Ａより径方向の外側に部分的に突出するなどして、上述した効果が十分に得られないおそれがある。
また、前記突出量Ｐが３０μｍを超える場合には、仕上げ加工用の前記１つの外周刃６Ａに対する切削負荷の割合が大きくなり過ぎて、該１つの外周刃６Ａが早期に損傷（摩耗や欠損）するおそれがある。
【００５１】
また本実施形態では、軸線Ｏに垂直な断面視で、１つの外周刃６Ａの回転軌跡Ｃ１の円周に接するとともに該１つの外周刃６Ａを通る接線Ｌと、外周逃げ面５Ａとの間に形成される角度θが５°以下であり、或いは、外周逃げ面５Ａに１つの外周刃６Ａの回転軌跡Ｃ１上に位置するようにマージンが形成されているので、下記の効果を奏する。
すなわちこの場合、仕上げ加工用の１つの外周刃６Ａの工具回転方向Ｔの後方に、マージン又は極小さな逃げ角（５°以下）を有する外周逃げ面５Ａが形成されるので、被削材の加工面はバニッシュ効果により、さらに高品位に仕上げられることになる。
【００５２】
尚、外周逃げ面５Ａにマージンが設けられる場合において、該マージンの周方向に沿う幅が０．０２〜０．２ｍｍである場合には、上述のバニッシュ効果が安定して得られるとともに、加工精度が良好に維持される。
具体的に、マージンの周方向に沿う幅が０．０２ｍｍ未満であると、切削初期摩耗によって、効果が早期に失われるおそれがある。また、マージンの周方向に沿う幅が０．２ｍｍを超えると、切削抵抗が大きくなり、加工寸法不良や加工面変形のおそれがある。
【００５３】
また、外周逃げ面５Ａに形成された複数の研削条１０が、工具回転方向Ｔに対して４５°以上の角度αで傾斜しているので、下記の効果を奏する。
すなわち、図４に示されるように１つの外周刃６Ａの刃先を微視的に見ると、該１つの外周刃６Ａにはその刃長方向に沿って複数の研削条１０による凹凸形状が形成されている。本実施形態で説明した上記構成によれば、これら研削条１０が工具回転方向Ｔに対して４５°以上の角度αで大きく傾斜させられていることから、刃先の上記凹凸形状が、被削材の加工面に転写されにくくなっている。
【００５４】
具体的に、外周刃６Ａ近傍では、研削条１０の稜線、及び該稜線に隣接する研削条１０の側壁が、被削材の加工面に工具回転方向Ｔの後方から対向する（加工面に対して露出される）とともに、接触可能であるので、これら研削条１０の稜線及び側壁が加工面を擦りつつ平坦化して、仕上げることができる。
【００５５】
尚、外周逃げ面５Ａに形成された複数の研削条１０の延在する向きは、上述した４５°以上の角度αに限定されるものではなく、例えば４５°未満の角度αで傾斜したり、工具回転方向Ｔに沿って（平行に）延びていてもよい。
【００５６】
ここで、図５は、本実施形態の変形例を表している。この変形例では、複数の研削条１０は、工具回転方向Ｔに対して平行に延びている（つまり角度αが０°）。
ただしこの場合、図５のＧ−Ｇ断面及びＨ−Ｈ断面に示されるように、外周刃６Ａの刃先に表れる複数の研削条１０の凹凸形状が、該外周刃６Ａから工具回転方向Ｔの後方に向けて刃長方向に沿う同一位置で連続することになる。詳しくは、図５のＧ−Ｇ断面における研削条１０の稜線（凸条の頂点）を通り、工具回転方向Ｔに沿って延ばした仮想直線（図５に２点鎖線で示される直線）が、Ｇ−Ｇ断面よりも工具回転方向Ｔの後方に位置するＨ−Ｈ断面における研削条１０の稜線を通っている。
【００５７】
つまり、上述の角度αが４５°以上に設定された場合に比べて、角度αが４５°未満や０°であると、被削材の加工面に対して研削条１０の稜線や側壁が対向されにくくなるので、複数の研削条１０の凹凸形状が、被削材の加工面にそのまま転写されやすくなり凹凸差（表面粗さ）が大きくなるため、上述した効果が得られにくくなるおそれがある。
【００５８】
尚、本発明は前述の実施形態に限定されるものではなく、本発明の趣旨を逸脱しない範囲において種々の変更を加えることが可能である。
【００５９】
例えば、前述の実施形態では、エンドミル１として４枚刃のスクエアエンドミルを用いて説明したが、これに限定されるものではない。すなわち、エンドミル１の刃数は、４枚刃以外の３枚刃や、５枚刃以上であってもよい。また、エンドミル１の種類は、スクエアエンドミル以外のラジアスエンドミル等であってもよい。
【００６０】
その他、本発明の趣旨から逸脱しない範囲において、前述の実施形態、変形例及び尚書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【実施例】
【００６１】
以下、本発明を実施例により具体的に説明する。ただし本発明はこの実施例に限定されるものではない。
【００６２】
本発明の実施例として、前述した実施形態で説明した４枚刃のエンドミル１を作製した。具体的には、超硬合金からなるとともに刃部３ａの外径がφ２５ｍｍとされたエンドミル本体２において、刃部３ａの全域にわたって、複数の外周刃６のうち１つの外周刃６Ａの径方向位置が、他の３つの外周刃６Ｂの径方向位置よりも径方向外側に配置されたものを用意した。
一方、従来の比較例のエンドミルとして、刃部に形成された４枚の外周刃の径方向位置がすべて同一に設定され、それ以外は上記実施例と同様の仕様とされたものを用意した。
【００６３】
そして、これら実施例及び比較例の各エンドミルを用いて、被削材：ＳＫＤ１１（６０ＨＲＣ）を切削加工して、該被削材の加工面の縦断面における軸線Ｏ方向に沿う凹凸の状態を確認した。尚、切削条件については、切削速度：７５ｍ／ｍｉｎ、１刃あたり送り：０．１ｍｍ／ｔｏｏｔｈ、軸方向（軸線Ｏ方向）切込み：３０ｍｍ、半径方向（径方向）切込み：０．２ｍｍとした。
【００６４】
図６に示される試験結果のとおり、図６（ａ）の実施例では、被削材（ワーク）の加工面が断面略直線状に形成されており、切削痕は見受けられなかった。
一方、図６（ｂ）の比較例では、被削材の加工面に凹凸形状が明確に表れ、複数の切削痕（切削スジ）Ｍが確認された。
【符号の説明】
【００６５】
１  エンドミル
２  エンドミル本体
４  切屑排出溝
５Ａ  １つの外周刃の外周逃げ面
６  外周刃
６Ａ  １つの外周刃
６Ｂ  他の外周刃（１つの外周刃以外の外周刃）
９  底刃
１０  研削条
Ｃ１、Ｃ２  回転軌跡
Ｄ１、Ｄ２  直径
Ｌ  接線
Ｏ  軸線
Ｐ  突出量
Ｔ  工具回転方向
α  角度（研削条の傾斜角）
θ  角度（逃げ角）
【図１】
2015188979.tif 000003
【図２】
2015188979.tif 000004
【図３】
2015188979.tif 000005
【図４】
2015188979.tif 000006
【図５】
2015188979.tif 000007
【図６】
2015188979.tif 000008